(57)【要約】【課題】  給気能力と排気能力が高い液体圧送装置を提供する。【解決手段】  第１及び第２作動流体導入口１１ａ，１１ｂと第１及び第２作動流体排出口１３ａ，１３ｂと圧送液体流入口１６及び圧送液体排出口１７を有する密閉容器２内にフロート３と、給気弁と排気弁を兼ねる第１及び第２切替え弁２２ａ，２２ｂと、第１及び第２コイルバネ５２ａ，５２ｂを有する第１及び第２スナップ機構５ａ，５ｂが内蔵され、フロート３に第１及び第２コイルバネ５２ａ，５２ｂの一端が連結され、第１及び第２コイルバネ５２ａ，５２ｂの他端に第１及び第２切替え弁２２ａ，２２ｂを連結する。【選択図】図１
2012241815.tif 000002
【特許請求の範囲】
【請求項１】
第１及び第２作動流体導入口と第１及び第２作動流体排出口と圧送液体流入口及び圧送液体排出口を有する密閉容器内にフロートと、給気弁と排気弁を兼ねる第１及び第２切替え弁と、第１及び第２コイルバネを有する第１及び第２スナップ機構が内蔵され、フロートに第１及び第２コイルバネの一端が連結され、第１コイルバネの他端に第１切替え弁を連結し、第２コイルバネの他端に第２切替え弁を連結したことを特徴とする液体圧送装置。
【発明の詳細な説明】
【技術分野】
【０００１】
本発明は、温水や燃料等の液体を圧送する液体圧送装置に関するものである。本発明の液体圧送装置は、各種蒸気使用装置で発生した復水をボイラーや廃熱利用箇所に送る装置として特に適するものである。
【背景技術】
【０００２】
従来の液体圧送装置は、作動流体導入口と作動流体排出口と圧送液体流入口及び圧送液体排出口を有する密閉容器内にフロートと、給気弁と排気弁を兼ねる切替え弁と、コイルバネを有するスナップ機構が内蔵され、フロートにコイルバネの一端が連結され、コイルバネの他端に切替え弁が連結されたものである。
【先行技術文献】
【特許文献】
【０００３】
【特許文献１】特開２００７−４６７３８号公報
【発明の概要】
【発明が解決しようとする課題】
【０００４】
上記従来の液体圧送装置は、スナップ機構によって給気弁と排気弁を兼ねる切替え弁の開閉を急激に切り換えるものであるので、効率良く液体の圧送を行うことができるものである。しかしながら、１つの切替え弁の開閉を切り換えるだけであるので、給気能力と排気能力が低く改良の余地を残すものであった。
【０００５】
解決しようとする課題は、給気能力と排気能力が高い液体圧送装置を提供することである。
【課題を解決するための手段】
【０００６】
本発明は、第１及び第２作動流体導入口と第１及び第２作動流体排出口と圧送液体流入口及び圧送液体排出口を有する密閉容器内にフロートと、給気弁と排気弁を兼ねる第１及び第２切替え弁と、第１及び第２コイルバネを有する第１及び第２スナップ機構が内蔵され、フロートに第１及び第２コイルバネの一端が連結され、第１コイルバネの他端に第１切替え弁が連結され、第２コイルバネの他端に第２切替え弁が連結されたことを特徴とする。
【発明の効果】
【０００７】
本発明の液体圧送装置は、フロートの移動に応じて第１及び第２コイルバネの一端が移動し、所定の位置で第１及び第２コイルバネの他端がスナップ移動することにより、第１及び第２切替え弁の開閉を急激に切り換えて密閉容器内に溜った液体を圧送する。そして本発明の液体圧送装置では第１及び第２の２つの切替え弁の開閉を切り替えるものであるので、給気能力と排気能力が高い液体圧送装置を提供することができるという優れた効果を生じる。
【図面の簡単な説明】
【０００８】
【図１】本発明の実施の形態に係わる液体圧送装置の断面図である。
【発明を実施するための形態】
【０００９】
上記の技術的手段の具体例を示す実施例を説明する。図１は本発明の具体的実施例の液体圧送装置の断面図である。本実施例の液体圧送装置１は密閉容器２内にフロート３と第１及び第２切替え弁４ａ，４ｂと第１及び第２スナップ機構５ａ，ｂが配置されたものである。密閉容器２は本体部７と蓋部８が図示しないネジによって結合され、内部に液体溜空間１０が形成されたものである。蓋部８には第１及び第２作動流体導入口１１ａ，１１ｂと第１及び第２作動流体排出口１３ａ，１３ｂが設けられ、本体部７には圧送液体流入口１６と圧送液体排出口１７が設けられている。第１及び第２作動流体導入口１１ａ，１１ｂの内側に第１及び第２給気弁口２０ａ，２０ｂが設けられ、第１及び第２作動流体排出口１３ａ，１３ｂの内側に第１及び第２排気弁口２１ａ，２１ｂが設けられている。第１給気弁口２０ａと第１排気弁口２１ａは第１給気弁と第１排気弁を兼ねる第１切替え弁４ａで開閉され、第２給気弁口２０ｂと第２排気弁口２１ｂは第２給気弁と第２排気弁を兼ねる第２切替え弁４ｂで開閉される。第１及び第２切替え弁４ａ，４ｂは第１及び第２給気弁口２０ａ，２０ｂを開くと第１及び第２排気弁口２１ａ，２１ｂを閉じ、第１及び第２給気弁口２０ａ，２０ｂを閉じると第１及び第２排気弁口２１ａ，２１ｂを開く。そして、第１及び第２切替え弁４ａ，４ｂは第１及び第２スナップ機構５ａ，ｂと連結されている。
【００１０】
密閉容器２内に液位と共に浮上降下するフロート３が収容されている。密閉容器２の下部側壁に、密閉容器２内と圧送液体排出口１７との間を連通する排液弁口３２を開けた排液弁座３１がねじ結合されている。フロート３は、浮上降下によって排液弁座３１に直接離着座し、排液弁口３２を直接開閉する。排液弁口３２が開かれると密閉容器２内と圧送液体排出口１７が連通され、排液弁口３２が閉じられると密閉容器２内と圧送液体排出口１７が遮断される。フロート３には連結筒３３が溶接等により固着され、第１及び第２スナップ機構５ａ，ｂに連結されている。第１及び第２スナップ機構５ａ，ｂは昇降棒５１と圧縮状態の第１及び第２コイルバネ５２ａ，５２ｂと第１及び第２ばね受け５４ａ，５４ｂからなるものである。昇降棒５１は下部に連結筒受け５６，５７が固着され、上部にばね受け連結部材５８が固着され、上端にストッパ５９が固着されている。第１及び第２ばね受け５４ａ，５４ｂは半球状で、ばね受け連結部材５８に回転可能に保持されている。そして、第１及び第２ばね受け５４ａ，５４ｂと第１及び第２切替え弁４ａ，４ｂの間に第１及び第２コイルバネ５２ａ，５２ｂが取り付けられている。
【００１１】
次に本実施例の液体圧送装置１の作用について、作動流体として蒸気を用いた場合の一連の動作手順を追うことによって説明する。まず液体圧送装置１の外部配管は第１及び第２作動流体導入口１１ａ，１１ｂが高圧の蒸気源に接続され、第１及び第２作動流体排出口１３ａ，１３ｂは蒸気循環配管に接続される。圧送液体流入口１６は外部から液体溜空間１０に向かって開く逆止弁（図示せず）を介して蒸気使用装置等の負荷に接続され、圧送液体排出口１７は液体溜空間１０から外部に向かって開く逆止弁（図示せず）を介してボイラー等の液体圧送先へ接続される。本実施例の液体圧送装置１の液体溜空間１０内に復水が無い場合は、図１に示す様にフロート３は底部に位置する。このとき、フロート３が排液弁座３１に着座し、排液弁口３２を閉じている。また第１及び第２切替え弁４ａ，４ｂは第１及び第２給気弁口２０ａ，２０ｂを閉じ、第１及び第２排気弁口２１ａ，２１ｂを開いている。そして蒸気使用装置等の負荷内で復水が発生すると、復水は圧送液体流入口１６から液体圧送装置１に流下して、液体溜空間１０内に溜る。液体溜空間１０内に復水が溜ると、フロート３が排液弁座３１から離座して浮上し、排液弁口３２を開く。このとき、一次側圧力が二次側圧力より高い場合には、圧送液体排出口１７の図示しない逆止弁が開弁しているので、液体溜空間１０に溜った復水は圧送液体排出口１７から外部のボイラーや廃熱利用装置へ排出される。復水を排出した結果、復水溜空間１０内の水位が低下すると、フロート３が降下し、排液弁座３１に着座して排液弁口３２を閉じる。
【００１２】
一方、一次側圧力が二次側圧力より低い場合には、圧送液体排出口１７の図示しない逆止弁が閉弁している。そして、フロート３が更に浮上していくと、連結筒３３の上端上面が連結筒受け５６の下面に当接して昇降棒５１を上動させ、第１及び第２ばね受け５４ａ，５４ｂが次第に上に上がる。そのため、第１及び第２コイルバネ５２ａ，５２ｂは更に圧縮され、圧縮エネルギ―が蓄積される。更にフロート３が浮上するとばね受け５４と切替え弁４が水平方向に並ぶ。そして、更に僅かだけフロート３が浮上すると、第１及び第２ばね受け５４ａ，５４ｂが第１及び第２切替え弁４ａ，４ｂよりも上側になり、第１及び第２コイルバネ５２ａ，５２ｂの押圧力によって、第１及び第２切替え弁４ａ，４ｂが下方向に向かってスナップ移動し、第１及び第２給気弁口２０ａ，２０ｂが開かれると共に第１及び第２排気弁口２１ａ，２１ｂが閉じられる。第１及び第２作動流体導入口１１ａ，１１ｂが開放されると、密閉容器２内に高圧蒸気が導入され、内部の圧力が上昇し、圧送液体排出口１７の図示しない逆止弁が開弁する。液体溜空間１０に溜った復水は蒸気圧に押されて圧送液体排出口１７から外部のボイラーや廃熱利用装置へ排出される。復水を排出した結果、復水溜空間１０内の水位が低下し、フロート３が降下すると、連結筒３３の上端下面が連結筒受け５７の上面に当接して昇降棒５１を下動させ、第１及び第２ばね受け５４ａ，５４ｂが次第に下に下がる。そして、先とは全く逆の経路をたどり、図１に示す様に第１及び第２排気弁口２１ａ，２１ｂが閉じられると共に第１及び第２排気弁口２１ａ，２１ｂが開けられる。
【産業上の利用可能性】
【００１３】
本発明は、温水や燃料等の液体を圧送する液体圧送装置に利用することができる。
【符号の説明】
【００１４】
１  液体圧送装置
２  密閉容器
３  フロート
４ａ  第１切替え弁
４ｂ  第２切替え弁
５ａ  第１スナップ機構
５ｂ  第２スナップ機構
１１ａ  第１作動流体導入口
１１ｂ  第２作動流体導入口
１３ａ  第１作動流体排出口
１３ｂ  第２作動流体排出口
１６  圧送液体流入口
１７  圧送液体排出口
２０ａ  第１給気弁口
２０ｂ  第２給気弁口
２１ａ  第１排気弁口
２１ｂ  第２排気弁口
２２ａ  第１切替え弁
２２ｂ  第２切替え弁
３１  排液弁座
３２  排液弁口
５１  昇降棒
５２  第１コイルバネ
５２  第２コイルバネ
【図１】
2012241815.tif 000003